【手続補正書】
【提出日】平成18年9月25日(2006.9.25)
【手続補正１】
【補正対象書類名】明細書
【補正対象項目名】特許請求の範囲
【補正方法】変更
【補正の内容】
【特許請求の範囲】
【請求項１】  洗浄により除去することのできる容易に識別可能な物質を用意する段階と、
手の洗浄を必要とする事象に関連する作動部材に物理的に連結され前記容易に識別可能な物質に結合した印付け機構を用意する段階と、
前記作動部材の人の手による操作時に、前記印付け機構がトリガされるときに、この人の手に前記容易に識別可能な物質で印付けする段階と、
を包含する、手の洗浄を確実にするのに役立つ方法。
【請求項２】  前記印付け機構を用意する段階が、トイレット又は小便所の洗浄機構に前記印付け機構を設ける段階を含み、
人がトイレット又は小便所を洗浄するときに、前記印付け機構がトリガされる、
請求項１の方法。
【請求項３】  前記印付け機構を用意する段階が、ドア取っ手に前記印付け機構を設ける段階を含み、
人が前記ドア取っ手を使用するときに、前記印付け機構をトリガされる、
請求項１の方法。
【請求項４】  前記印付け機構を用意する段階が、機械的トリガを設ける段階を含み、前記機械的トリガを作動するときに、手の印付けが行われるようにする、
請求項１の方法。
【請求項５】  前記機械的トリガが、前記容易に識別可能な物質を含む吸収性材料で被覆される請求項４に記載の方法。
【請求項６】  前記容易に識別可能な物質を含む吸収性材料を前記機械的トリガと一体に形成する請求項４の方法。
【請求項７】  さらに、各指案内を前記印付け機構に関連させる請求項４の方法。
【請求項８】  前記機械的トリガが、圧縮性バルブを含む請求項４の方法。
【請求項９】  前記容易に識別可能な物質を、塗料、染料、顔料、チョーク及び着色剤から成る群から選定する請求項１の方法。
【請求項１０】  洗浄により除去することのできる容易に識別可能な物質と、
この容易に識別可能な物質を受け入れるように結合した印付け機構とを備え、この印付け機構を、手の洗浄を必要とする事象に関連する作動部材に物理的に連結し、この作動部材の手による操作時に、前記印付け機構がトリガされるときに、人の手に前記容易に識別可能な物質で印付けする作用ができるようにした、
手の洗浄を確実にするのに役立つ装置。
【請求項１１】  前記作動部材が、トイレット又は小便所の洗浄機構を備え、これ等のトイレット又は小便所を人が洗浄するときに、前記作動部材がトリガされるようにした請求項１０の装置。
【請求項１２】  前記印付け機構が、前記作動部材の一部分を形成するドア取っ手に結合され、人がドア取っ手を使用するときに、前記印付け機構が、トリガされるように形成した請求項１０の装置。
【請求項１３】  前記印付け機構に、機械的トリガ作動時に手に印を付けるように作用できる機械的トリガを設けた請求項１０の装置。
【請求項１４】  さらに、前記印付け機構に関連する指案内を備えた請求項１３の装置。
【請求項１５】  前記容易に識別可能な物質を含み、前記機械的トリガを被覆する吸収性材料をさらに備えた請求項１３の装置。
【請求項１６】  前記容易に識別可能な物質を保持するように作用することができ、この容易に識別可能な物質を前記吸収性材料に供給するように結合した容器を備えた請求項１５の装置。
【請求項１７】  前記機械的トリガに、前記容易に識別可能な物質を含み前記機械的トリガと一体に形成した吸収性材料を設けた請求項１３の装置。
【請求項１８】  前記容易に識別可能な物質を保持するように作用することができ、この容易に識別可能な物質を前記吸収材料に供給するように結合した容器を備えた請求項１７の装置。
【請求項１９】  前記機械的トリガが、圧縮性バルブを備えた請求項１３の装置。
【請求項２０】  前記容易に識別可能な物質を、塗料、染料、顔料、チョーク及び着色剤から成る群から選定した請求項１０の装置。
【請求項２１】  人の手の消毒を確実にするのに役立つように十分な時間にわたり消毒媒体で洗浄することにより除去できる容易に識別可能な物質を用意する段階と、
この容易に識別可能な物質に結合した印付け機構を用意する段階と、
人の手の洗浄が望ましい事象により前記印付け機構がトリガされるときに、前記容易に識別可能な物質で人の手に印付けする段階と、
を包含する人の手の洗浄を確実にするのに役立つ方法。
【請求項２２】  前記印付け機構を、ドア開放機構に結合する段階をさらに包含する請求項２１の方法。
【請求項２３】  前記容易に識別可能な物質の少なくとも一部分を形成するように加えた顔料又は染料を含む水をベースとする製品を使う段階をさらに包含する請求項２２の方法。
【請求項２４】  手のひら又は手の各指間に又は手の背部又は各指の背部又はこれ等の組合せに印を付けるように印付け機構を位置させる段階をさらに包含する請求項２１の方法。
【請求項２５】  さらに、前記容易に識別可能な物質を形成するように衣類を洗浄することによりこの衣類から除去できる組成物を使う段階を包含する請求項２１の方法。
【請求項２６】  前記印付け機構を、トイレット又は小便所の洗浄機構に結合する段階をさらに包含する請求項２１の方法。
【請求項２７】  手のひら又は手の各指の間又は手の背部又は各指の背部又はこれ等の組合せに印を付けさせるように前記印付け機構を位置させる段階をさらに包含する請求項２６の方法。
【請求項２８】  前記容易に識別可能な物質を形成するように添加した顔料又は染料を含む水をベースとする製品を使う段階をさらに包含する請求項２７の方法。
【請求項２９】  前記容易に識別可能な物質を形成するように衣類を洗浄することによりこの衣類から除去できる組成物を使う段階をさらに包含する請求項２７の方法。
【請求項３０】  前記消毒媒体としてアルコールをベースとする物質を使い前記容易に識別可能な物質を除去する段階をさらに包含する請求項２１の方法。
【請求項３１】  前記消毒媒体の少なくとも一部分を供給するように温水を使う段階をさらに包含する請求項２１の方法。
【請求項３２】  手の印付け後に接触に対し迅速に乾燥するように作用できる前記容易に識別可能な物質を施す段階をさらに包含する請求項２１の方法。
【請求項３３】  人の手の消毒を確実にするのに役立つように約１０秒ないし２分の時間にわたり人のこれ等の手を洗浄する段階をさらに包含する請求項２１の方法。
【請求項３４】  前記事象に関連する人人の類別を弁別するように前記印付け機構をバイパスさせる機構を設ける段階をさらに包含する請求項２１の方法。
【請求項３５】  前記印付け機構をバイパスさせようとする試みを行ったときを指示する機構を設ける段階をさらに包含する請求項２１の方法。
【請求項３６】  人の手の消毒を確実にするのに役立つように十分な時間にわたり消毒媒体で洗浄することにより除去できる容易に識別可能な物質と、
この容易に識別可能な物質に結合した印付け機構と、
人の手の洗浄が望ましい事象に関連する作動機構とを備え、
前記印付け機構が、手による前記作動機構の操作によりトリガされるときに、前記印付け機構が、人の手に前記容易に識別可能な物質で印付けするように作動可能である、
人の手の洗浄を確実にするのに役立つ装置。
【請求項３７】  前記作動機構の少なくとも一部分を形成するドア開放機構に結合した印付け機構をさらに備えた請求項３６の装置。
【請求項３８】  前記印付け機構に接触しないで関連するドアを開放できるようにバイパス機構をさらに備えた請求項３７の装置。
【請求項３９】  前記容易に識別可能な物質にさらに、顔料又は染料を添加した水をベースとする基体製品を備えた請求項３７の装置。
【請求項４０】  さらに、手のひら又は手の各指の間又は手の背部又は指の背部又はこれ等の組合せに印を付けるように、前記印付け機構を前記作動機構に対して位置させた請求項３６の装置。
【請求項４１】  衣類の洗浄によりこの衣類から除去できる組成物から少なくとも一部を形成した容易に識別可能な物質をさらに備えた請求項３６の装置。
【請求項４２】  トイレット洗浄機構、小便所洗浄機構又はドア開放機構から成る群から選定した前記作動機構をさらに備えた請求項３６の装置。
【請求項４３】  温水、アルコールをベースとする基体溶液又は抗菌性溶液から成る群から選定した消毒媒体をさらに備えた請求項３６の装置。
【請求項４４】  前記印付け機構を結合した第１のドア作動機構と、
この第１のドア作動機構をバイパスさせる第２のドア作動機構と、
をさらに備えた請求項３６の装置。
【請求項４５】  前記印付け機構を結合したドア開放機構と、
ドアを作動するのに人の手が確実に前記ドア開放機構に接触することを必要とするように、このドア開放機構上に位置させた解錠機構と、
をさらに備えた請求項３６の装置。
【請求項４６】  前記印付け機構が人の手に印付けするのを防ぐように、別の材料が付着しているかどうかを指示するために、前記作動機構に取付けた粗いかぎ形の表面をさらに備えた請求項３６の装置。
【請求項４７】  人の手の消毒を確実にするのに役立つように洗浄することにより除去できる容易に識別可能な物質と、
人の手の洗浄が望ましい事象に関連する印付け機構及び作動機構とを備え、
前記事象に応答して前記作動機構により印付けがトリガされるときに、前記印付け機構が、前記容易に識別可能な物質で人の手に印を付けるように作動可能であり、
前記容易に識別可能な物質を前記印付け機構に結合した交換できる容器内に入れた、
人の手の洗浄を確実にするのに役立つ装置。
【請求項４８】  人の手の洗浄を確実にするのに役立つ装置に使う交換できる容器において、前記交換可能な容器の内部に入れられ、人の手の消毒を確実にするのに役立つように洗浄により除去できる容易に識別可能な物質を備え、
手の洗浄が望ましい事象により印付け機構がトリガされる時に、前記容易に識別可能な物質で人の手に印付けするように印付け機構内に解放可能に固定されるように作動できるようにして成る容器。